(57)【要約】【課題】  「糸巻き」を円滑に収納できる釣り用衣服のポケットを提供する。  【解決手段】  このポケット１０は、釣り用衣服の胸部等に設けられる。  ポケット１０は、内部に収納空間を形成するポケット本体部１１と、ポケット本体部１１の前面に設けられ収納空間に連通する糸巻き収納空間を形成する糸巻き収納部１２と、その周縁の一部がポケット本体部１１の内面に連結されてポケット本体部１１の収納空間内に収納されており、ポケット本体部１１の収納空間と糸巻き収納部１２の糸巻き収納空間とを区分する糸巻き装着シート１５と、糸巻き装着シート１５の前面に前方向に起立して設けられた軸芯１６と、糸巻き収納部１２の側面に形成された釣糸導出口１４とを備えている。【選択図】    図４
2005029937.tif 000002
【特許請求の範囲】
【請求項１】
釣り用ウェアのウェア本体の前面に設けられるポケットであって、
内部に収納空間を形成するポケット本体部と、
前記ポケット本体部の前面に設けられ前記収納空間に連通する糸巻き収納空間を形成する糸巻き収納部と、
その周縁の一部がポケット本体部の内面に連結されて前記ポケット本体部の収納空間内に収納されており、前記ポケット本体部の収納空間と前記糸巻き収納部の糸巻き収納空間とを区分する糸巻き装着シートと、
前記糸巻き装着シートの前面に前方向に起立して設けられた軸芯と、
前記糸巻き収納部の側面に形成された釣糸導出口と、
を備えたポケット。
【請求項２】
前記糸巻き収納部の前面には前記軸芯の頭端を受ける受け部が形成されている、請求項１に記載のポケット。
【請求項３】
釣り用ウェアのウェア本体の前面に設けられるポケットであって、
内部に収納空間を形成するポケット本体部と、
前記ポケット本体部の前面に設けられ前記収納空間に連通する糸巻き収納空間を形成する糸巻き収納部と、
その周縁の一部がポケット本体部の内面に連結されて前記ポケット本体部の収納空間内に収納されており、前記ポケット本体部の収納空間と前記糸巻き収納部の糸巻き収納空間とを区分するシート部材と、
前記糸巻き収納部の前面の裏側に後方向に起立して設けられた軸芯と、
前記糸巻き収納部の側面に形成された釣糸導出口と、
を備えたポケット。
【請求項４】
前記シート部材に軸芯の頭端を受ける受け部が形成されている、請求項３に記載のポケット。
【発明の詳細な説明】
【技術分野】
【０００１】
本発明は、魚釣りの際に着用するベストやジャケットなどの釣り用衣服の前面に設けられているポケットに関する。
【背景技術】
【０００２】
魚釣りにおいて必要となる釣糸も多種多様なものが提供されており、釣人は魚の種類や大きさ等によって任意の種類の釣糸を選択して仕掛けを作って魚釣りをおこなっている。魚釣りを行っている際に、釣糸が切断されてしまい仕掛けを作り直す必要が生じることもあり、また、狙う魚の種類によって仕掛けを変更するべく異なる種類の釣糸が必要になることもある。このため、釣りに出かける際には、釣人は異なる種類の釣糸を周面に巻回した異なる種類の「糸巻き」を幾つか準備することが多い。
【０００３】
このように複数の「糸巻き」を準備する場合に、単に釣り用衣服のポケットなどに「糸巻き」を入れただけでは、直ちに「糸巻き」から釣糸を取り出すことができず、また、釣糸が「糸巻き」から外れてポケットの中で糸絡みしてしまうような恐れがある。
【０００４】
そこで、「糸巻き」を釣り用衣服のポケットに安定した状態で収納し得るように工夫したものが提案されている。
【０００５】
例えば、釣り用衣服のポケット内にゴム紐を配置し、ゴム紐の一端を衣服に縫着し、他方をスナップなどで衣服に脱着可能としたものが提案されている（特許文献１参照）。この釣り用衣服では、ゴム紐が衣服の左右方向に延び、これを軸芯として「糸巻き」が衣服の正面方向に回動する。ゴム紐に装着された「糸巻き」は、所定のカバーで覆われて位置決めされている。
【０００６】
しかし、このような従来の釣り用衣服では、ポケット内に安定した状態で「糸巻き」を収納できない。即ち、上述のような釣り用衣服では、「糸巻き」が釣り用衣服の衣服本体に対して直交している状態（起立したような状態）でポケット内に配置されるので、「糸巻き」がポケット内で不安定になる。このような不安定な「糸巻き」では、「糸巻き」から円滑に釣糸を引き出すにも支障がでる。
【０００７】
また、「糸巻き」が上述のような状態であるので、「糸巻き」をポケット内に収納するとポケットが膨らみ、他の小物などを同一のポケット内に収納することもできない。
【特許文献１】特開平１０−１４０４０８号公報
【発明の開示】
【発明が解決しようとする課題】
【０００８】
本発明は、釣糸を巻き付けた「糸巻き」を安定した状態で収納でき、釣糸の引き出しも円滑で、且つ、「糸巻き」のみではなく他の小物などもポケットに収納できる、釣り用衣服のポケットを提供することにある。
【課題を解決するための手段】
【０００９】
本発明に係るポケットは、釣り用ウェアのウェア本体の前面に設けられるポケットであって、内部に収納空間を形成するポケット本体部と、ポケット本体部の前面に設けられ前記収納空間に連通している糸巻き収納空間を形成する糸巻き収納部と、その周縁の一部がポケット本体部の内面に連結されてポケット本体部の収納空間内に収納されており、ポケット本体部の収納空間と糸巻き収納空間とを区分する糸巻き装着シートと、糸巻き装着シートの前面に前方向に起立して設けられた軸芯と、糸巻き収納部の側面に形成された釣糸導出口とを備えている。
【００１０】
このポケットは、釣り用ウェア（例えば、ベスト型のものや、ジャケット型のものなどが考えられる）の前面に設けられるものである。前面であればその場所は問わないが、好ましくは、釣り用ウェアの胸部や腰部付近にこのポケットを設けるのがよい。
【００１１】
釣人がこのポケット内に「糸巻き」を収納するには、以下のような手順による。
【００１２】
まず、ポケット本体部の収納空間内に「糸巻き」を収納し、「糸巻き」の釣糸の端部を釣糸導出口からポケットの外に予め導き出しておく。そして、収納空間内に収納されている糸巻き装着シート上に「糸巻き」を載置する。詳しくは、糸巻き装着シートの起立した軸芯を「糸巻き」の軸穴に挿通させる。この状態で、「糸巻き」は糸巻き装着シートの表面上に、糸巻き装着シート面に平行に載置されることになる。続いて、糸巻き装着シート上の「糸巻き」を糸巻き収納部に移動させ、糸巻き収納空間内に「糸巻き」を収納する。
【００１３】
このような状態では、「糸巻き」は糸巻き収納空間に配置され、ポケット本体部の収納空間はフリーな状態にある。且つ、収納空間は、糸巻き装着シートによって「糸巻き」が収納された糸巻き収納空間とは別個独立したものである。よって、ポケット本体部には別の小物をさらに収納することもできる。また、糸巻き収納空間内の「糸巻き」はポケットの平面方向に配向に載置されており、且つ、軸芯によって安定して回動し得る状態にある。よって、「糸巻き」からの釣糸の引き出しも円滑になる。
【００１４】
なお、糸巻き収納部の前面には貫通孔が形成されており、軸芯が貫通孔に挿着可能であるようにしてもよい。軸芯を貫通孔に挿着することで、軸芯に送着されている「糸巻き」は糸巻き装着シートと糸巻き収納部の前面とに挟持され、より安定した状態で糸巻き収納部の糸巻き収納空間に収納される。
【００１５】
また、本発明に係る別のポケットは、釣り用ウェアのウェア本体の前面に設けられるポケットであって、内部に収納空間を形成するポケット本体部と、ポケット本体部の前面に設けられ前記収納空間に連通する糸巻き収納空間を形成する糸巻き収納部と、その周縁の一部がポケット本体部の内面に連結されてポケット本体部の収納空間内に収納されており、ポケット本体部の収納空間と糸巻き収納空間とを区分するシート部材と、糸巻き収納部の前面の裏側に後方向に起立して設けられた軸芯と、糸巻き収納部の側面に形成された釣糸導出口とを備えている。
【００１６】
釣人がこのポケット内に「糸巻き」を収納するには、以下のような手順による。
【００１７】
ポケット本体部の収納空間内に「糸巻き」を収納し、予め、「糸巻き」の釣糸の端部を釣糸導出口からポケットの外に導き出しておく。そして、「糸巻き」を糸巻き収納空間内に収納する。ここで、糸巻き収納空間内に起立している軸芯を「糸巻き」の軸穴に挿通させる。この状態で、「糸巻き」は糸巻き収納空間内に、ポケットの平面方向に載置される。続いて、シート部材で糸巻き収納空間に蓋をして、糸巻き収納空間とポケット本体部の収納空間とを区分する。
【００１８】
このようなポケットでも、「糸巻き」は糸巻き収納空間に配置され、ポケット本体部の収納空間はフリーな状態にある。且つ、収納空間は、シート部材によって「糸巻き」が収納された糸巻き収納空間とは別個独立したものである。よって、ポケット本体部には別の小物をさらに収納することもできる。また、糸巻き収納空間内の「糸巻き」はポケットの平面方向に配向に載置されており、且つ、軸芯によって安定して回動し得る状態にある。よって、「糸巻き」からの釣糸の引き出しも円滑になる。なお、シート部材に軸芯の頭端を受ける受け部を形成してもよい。このような受け部を形成しておくことで、軸芯が安定し、「糸巻き」の回動も円滑になる。
【発明の効果】
【００１９】
本発明のポケットには「糸巻き」が安定した状態で収納され、「糸巻き」からの釣糸の引き出しも円滑になしえる。また、本発明のポケットには、「糸巻き」を収納してもなお別の小物なども収納できる。
【発明を実施するための最良の形態】
【００２０】
［第１実施形態］
以下、本発明の第１実施形態を採用した釣り用ウェアのポケットを説明する。
【００２１】
本発明に係る釣り用ウェアは、図１に示すような、釣り用ベスト１である。この釣り用ベスト１は、ベスト本体２を有し、このベスト本体２の左右の胸部にそれぞれポケット１０が設けられている。
【００２２】
ベスト本体２は、表地と裏地とを適宜縫合しノースリーブ仕様のベスト型に加工されている。ベスト本体２の前身頃は左右に打ち合わせが形成されており、この打ち合わせがファスナ３で開閉自在となっている。例えば、この釣り用ベスト１が「フローティングベスト」であれば、ベスト本体２の布地の中にフロート用の浮力材が収納される。浮力材としては、EVA発泡材等を利用する。なお、浮力材はベスト本体２から脱着可能なようにしてもよい。例えば、ベスト本体２の前身頃にファスナを設けて、ここから浮力材を取りだし可能としてもよい。
【００２３】
ベスト本体２の前身頃には、上述のポケット１０のみではなく、他のポケット４などをさらに設けても良い。さらに、ベスト本体２の前裏身頃にも内ポケットなどを設けても良い。ポケットを形成する数は任意である。
【００２４】
ポケット１０は、図１に示すように、ベスト本体２の前身頃の左右の胸部に形成されている。図２に示すように、ポケット１０は、ポケット本体部１１と、ポケット本体部１１の前面に設けられる糸巻き収納部１２とからなる。ポケット本体部１１内には糸巻き装着シート１５が収納されている。
【００２５】
図３〜５にも示すように、ポケット本体部１１は、略箱型の部分であって、ベスト本体２の前身頃に縫合されている。このポケット本体部１１によってその内部に収納空間が形成される。例えば、ベスト本体２の正面から見て左側に設けられているポケット１０であれば、ポケット１０の正面から見て右側面と上側面とにかけて開口部が形成され、この開口部がファスナ１３によって開閉自在となっている。このポケット本体部１１は、ベスト本体２の前身頃を形成する表地と同種の素材（例えば、ナイロン・ポリエステル等）で形成されている。ポケット本体部１１の下側面は別途メッシュ地等で形成してもよい。なお、このポケット本体部１１の前面の一部は開口しており、ここに糸巻き収納部１２が縫合される。また、ポケット本体部１１の表面の上方の裏には、ドット釦の凹部２０が装着されている。
【００２６】
糸巻き収納部１２は、熱可塑性ポリウレタン樹脂(TPU)等の透明乃至半透明樹脂をポケット本体部１１より小型の略箱型に加工したものである。糸巻き収納部１２によって糸巻き収納空間が形成される。従って、この糸巻き収納部１２はその内部に「糸巻き」Ｒが収納できる程度の大きさにする必要がある。糸巻き収納部１２の後面側は開口しており、この開口が上述のポケット本体部１１の前面の開口に合わされている。即ち、糸巻き収納部１２によって形成される糸巻き収納空間と上述のポケット本体部１１の収納空間とは連通している。
【００２７】
また、例えば、ベスト本体２の正面から見て左側に設けられているポケット１０であれば、糸巻き収納部１２の正面から見て右側面に開口部が形成される。この開口部には弾性ゴムからなる開口シート１４が送着されている。開口シート１４には長手方向に割りが形成される。この割りから、釣糸Ｌを外部に引き出すことになる。さらに、糸巻き収納部１２の前面の中央付近には貫通孔が形成されている。
【００２８】
糸巻き装着シート１５は、ベスト本体２と同様の素材からなる表地とメッシュ地等の裏地を縫合して形成される略四角形型の部材である。図３〜５に示すように、糸巻き装着シート１５の下側の一辺が、ポケット本体１１と糸巻き収納部１２との臨界の下側辺に縫合された状態で、この糸巻き装着シート１５はポケット本体部１１の収納空間内に収納されている。糸巻き装着シート１５の大きさ（面積）は、糸巻き収納部１２の大きさ（面積）より一回り大きく設定されており、図４及び図５に示すように、糸巻き収納部１２の糸巻き収納空間に対して蓋となるようになっている。即ち、この糸巻き装着シート１５によって、ポケット本体部１１の収納空間と糸巻き収納部１２の糸巻き収納空間とが区分されるようになっている。
【００２９】
糸巻き装着シート１５の上側の上述のドット釦の凹部２０に対応する位置には、ドット釦の凸部２１が装着されている。また、糸巻き装着シート１５の中央付近には、糸巻き装着シート１５の平面に対して直交方向前側に起立する軸芯１６が設けられている。軸芯１６は頭端側にフランジを形成したプラスチック製の部材である。この軸芯１６を「糸巻き」Ｒの中央の軸穴に挿入することになる（図３参照）。また、軸芯１６の頭端を糸巻き収納部１２の前面の中央付近の貫通孔に挿着することになる。
【００３０】
なお、ここでは、糸巻き収納部１２に貫通孔を形成し、この貫通孔で軸芯１６の頭端を受けて挿着するものとしているが、貫通孔に代えて、軸芯１６の頭端が嵌着する凹釦などを糸巻き収納部１２の所定の位置に設けても良い。
【００３１】
釣人がこの釣り用ベスト１のポケット１０内に「糸巻き」Ｒを収納するには、以下のような手順による。
【００３２】
まず、ポケット本体部１１のファスナ１３を開いてその開口から収納空間内に「糸巻き」Ｒを収納する。予め、この状態で、収納空間内に収納された「糸巻き」Ｒから釣糸Ｌを引き出し、釣糸Ｌの端部を開口シート１４の割りから外部に引き出しておく（図２参照）。
【００３３】
次に、収納空間内に収納されている糸巻き装着シート１５上に「糸巻き」Ｒを載置する。ここでは、釣人は糸巻き装着シート１５の軸芯１６を「糸巻き」Ｒの軸穴に挿通させることになる（図３参照）。この状態で、「糸巻き」Ｒは糸巻き装着シート１５の表面上に、糸巻き装着シート１５面に平行に載置される。
【００３４】
続いて、糸巻き装着シート１５上の「糸巻き」Ｒを糸巻き収納部１２の糸巻き収納空間内に移動させる。具体的には、糸巻き装着シート１５のドット釦の凸部２１をポケット本体部１１のドット釦の凹部２０に嵌めて、糸巻き装着シート１５で糸巻き収納部１２の糸巻き収納空間に蓋をする。つまり、糸巻き装着シート１５によって、糸巻き収納部１２の糸巻き収納空間とポケット本体部１１の収納空間とを区分する。これにより、糸巻き装着シート１５の表面に装着されている「糸巻き」Ｒは糸巻き収納空間内に収納される（図４参照）。さらに、糸巻き装着シート１５の軸芯１６の頭端は糸巻き収納部１２の前面の中央付近の貫通孔に挿着されることになる。
【００３５】
ここでは、釣糸Ｌは開口シート１４の割りに挟まれており、むやみに釣糸Ｌが「糸巻き」Ｒから導出されてしまうこともない。釣人が、この開口シート１４から引き出されている釣糸Ｌの一部を引っ張れば、糸巻き収納空間内の「糸巻き」Ｒが回動して、釣糸Ｌが順次引き出されることになる。
【００３６】
以上のように、このようなポケット１０を設けた釣り用ベスト１では、「糸巻き」Ｒはポケット１０の糸巻き収納空間に配置され、ポケット本体部１１の収納空間はフリーな状態にある。また、収納空間は、糸巻き装着シート１５によって「糸巻き」Ｒが収納された糸巻き収納空間とは別個独立したものとなっている。よって、ポケット本体部１１の収納空間には、さらに別の小物をさらに収納することもでき、このような別の小物が「糸巻き」の動きを阻害することもない。また、糸巻き収納空間内の「糸巻き」Ｒはポケット１０の平面方向に配向に載置されており、軸芯１６によって安定した状態で回動可能である。よって、「糸巻き」Ｒからの釣糸Ｌの引き出しも円滑になっている。
【００３７】
なお、この実施形態では釣り用ベスト１を例に説明しているが、ポケット１０を設ける釣り用ウェアはベスト側のウェアに限定されるものではない。
【００３８】
また、この実施形態では釣り用ベスト１の胸部の左右にポケット１０をそれぞれ設けているが、何れか一方のみに設けても良いし、他の位置のポケットを「糸巻き」Ｒを収納可能なポケットとしてもよい。
【００３９】
［第２実施形態］
以下、第２実施形態として釣り用ベスト１の胸部に設けられたポケット５０を説明する。
【００４０】
このポケット５０は、基本的な構造は、上記第１実施形態と同様である。即ち、ポケット本体部５１と、その前面側に形成される糸巻き収納部５２とからなる。そして、ポケット本体部５１にはシート部材５５が収納されている。それぞれの素材や配置は上記第１実施形態と同様である。
【００４１】
この糸巻き収納部５２の前面の裏の中央には、裏側方向に起立する軸芯５６が形成されている。また、軸芯５６の先端は凸釦となっている。他方、シート部材５５は上記第１実施形態とことなり、軸芯５６の先端を受ける凹釦が形成されている。
【００４２】
「糸巻き」Ｒをポケット５０に装着する手順は以下のようになる。
【００４３】
まず、ポケット本体部５１の収納空間内に「糸巻き」Ｒを収納し、「糸巻き」Ｒから釣糸Ｌの端部を引き出して、釣糸導出口からポケットの外に導き出しておく。続いて、「糸巻き」Ｒを糸巻き収納部５２の糸巻き収納空間内に収納する。ここで、糸巻き収納空間内に起立している軸芯５６を「糸巻き」Ｒの軸穴に挿通させる（図７参照）。この状態で、「糸巻き」Ｒは糸巻き収納空間内に、ポケット５０の平面方向に載置される。続いて、シート部材５５で糸巻き収納空間に蓋をして、糸巻き収納部５２の糸巻き収納空間とポケット本体部１１の収納空間とを区分する。この際、軸芯５６の先端の凸釦とシート部材５５の凹釦とが嵌着し、ドット釦の凸部２１とドット釦の凹部２０とが嵌着する。
【００４４】
このようなポケット５０においても、上記第１実施形態と同様に「糸巻き」Ｒを安定した状態でポケット５０内に収納することができる。
【図面の簡単な説明】
【００４５】
【図１】本発明の第１実施形態を採用した釣り用ベスト１を示した図。
【図２】ポケット１０の正面図。
【図３】ポケット１０の分解図。
【図４】ポケット１０の断面図。
【図５】ポケット１０のポケット本体１１を背面側から見た参考図。
【図６】本発明の第２実施形態を採用した釣り用ベストのポケット５０の図５に相当する図。
【図７】本発明の第２実施形態を採用した釣り用ベストのポケット５０の図４に相当する図。
【符号の説明】
【００４６】
１  釣り用ベスト
２  ベスト本体
１０，５０  ポケット
１１，５１  ポケット本体部
１２，５２  糸巻き収納部
１５  糸巻き装着シート
５５  シート部材
Ｒ  糸巻き
Ｌ  釣糸
【図１】
2005029937.tif 000003
【図２】
2005029937.tif 000004
【図３】
2005029937.tif 000005
【図４】
2005029937.tif 000006
【図５】
2005029937.tif 000007
【図６】
2005029937.tif 000008
【図７】
2005029937.tif 000009